(57)【特許請求の範囲】
【請求項１】
相互に対向して配設された第１及び第２の透明基板と、
これらの第１及び第２の透明基板間に封入された液晶と、
前記第１及び第２の透明基板の各対向面側に設けられて液晶分子の配列状態を画素毎に制御する第１及び第２の電極と、
これらの第１及び第２の電極をそれぞれ被覆するとともに、１画素を２分する第１及び第２の領域において液晶分子の立ち上がる方向が相互に逆方向となる第１及び第２の配向膜と、
前記第１の透明基板の前記対向面と反対側に配置された第１の光学異方性フィルムと、
この第１の光学異方性フィルムに接合された第１の偏光板と、
前記第２の透明基板の前記対向面と反対側に配置された第２の光学異方性フィルムと、
この第２の光学異方性フィルムに接合された第２の偏光板とを有する液晶表示パネルであって、
前記第１及び第２の光学異方性フィルムのリタデーション（Δｎｄ値）が７０乃至１４０ｎｍであり、かつ
前記第１の配向膜のラビング方向と前記第１の光学異方性フィルムの遅相軸とのなす角度が０±１０°以内に設定され、前記第２の配向膜のラビング方向と前記第２の光学異方性フィルムの遅相軸とのなす角度が０±１０°以内に設定されていることを特徴とする液晶表示パネル。
【請求項２】
前記第１及び第２の偏光板は、その吸収軸が相互に平行に配置されていることを特徴とする請求項１に記載の液晶表示パネル。
【発明の詳細な説明】
【０００１】
【発明の属する技術分野】
本発明は、光学異方性フィルム（位相差フィルム）を備えた液晶表示パネルに関する。
【０００２】
【従来の技術】
液晶表示パネルは、薄くて軽量であるとともに低電圧で駆動できて消費電力が少ないという長所があり、各種電子機器に広く使用されている。特に、近年、ＴＦＴ（Thin Film Transistor）等の能動素子が画素毎に設けられたアクティブマトリクス方式の液晶表示パネルは、表示品質の点でもＣＲＴ（cathode-ray tube）に匹敵するほど優れたものが得られるようになり、携帯テレビやパーソナルコンピュータ等のディスプレイにも使用されている。
【０００３】
一般的に、液晶表示パネルは２枚の透明基板の間に液晶を挟んだ構造を有している。それらの透明基板の相互に対向する２つの面（対向面）のうち、一方の面側には対向電極及び配向膜等が形成され、また他方の面側にはアクティブマトリクス回路、画素電極及び配向膜等が形成されている。さらに、各透明基板の対向面と反対側の面には、それぞれ偏光板が貼り付けられている。これらの２枚の偏光板は、例えば偏光板の吸収軸（偏向方向に対し垂直な方向）が互いに直交するように配置され、これによれば、電界をかけない状態では光を透過し、電界を印加した状態では遮光するモード、すなわちノーマリーホワイトモードとなる。その反対に、２枚の偏向板の吸収軸が平行な場合には、ノーマリーブラックモードとなる。
【０００４】
ところで、アクティブマトリクス方式の液晶表示パネルは、一般的にＣＲＴに比べて視角特性が悪い、すなわち、画面を見る角度によってコントラストが変化してしまうという欠点がある。これを改善すべく、１画素を２つの領域に分けて、各領域における液晶分子の配向方向を相互に異なるものとした配向分割構造の液晶表示パネルが提案されている。
【０００５】
図９は、この種の従来の液晶表示パネルを示す平面図、図１０は図９のＹ−Ｙ線による断面図である。
ガラス基板３１，３３は相互に対向して配置されている。下側の基板３１上には複数の画素電極４２がマトリクス状に配置されており、各画素電極４２間には、ゲートバスライン４３及びデータバスライン４４が直角に交差するように形成されている。また、ゲートバスライン４３とデータバスライン４４との交差部分の近傍にはＴＦＴ４５が配設されている。そして、基板３１上には、これらの画素電極４２、ゲートバスライン４３及びＴＦＴ４５等を覆うようにして、配向膜３２が形成されている。
【０００６】
また、上側の基板３３の下面側には、カラーフィルタ３４が形成されている。このカラーフィルタ３４は、１画素毎に赤（Ｒ）、青（Ｂ）又は緑（Ｇ）のいずれかの色を有している。このカラーフィルタ３４の下には対向電極３５が設けられており、この対向電極３５の下には配向膜３６が設けられている。
配向膜３２，３６は、例えばポリイミドにより形成されており、レーヨン等の布が付着したロールで表面を擦るいわゆるラビング処理が施されている。液晶の分子は、配向膜３２，３６のラビング方向に沿って配向する性質を有している。ＴＮ（Twisted Nematic ）型の液晶表示パネルでは、２つの配向膜３２，３６が、上から見てそれらのラビング方向がほぼ直交するように配置される。
【０００７】
基板３１，３３は、両者の間隔を一定にするための球形のスペーサ（図示せず）を挟んで配置され、基板３１，３３間には液晶３７が封入されている。そして、基板３１の下側及び基板３３の上側には、それぞれ偏光板３９，４１が配設されている。
図１１（ａ），（ｂ）は、基板３１，３３間の液晶の分子を模式的に示す図であり、図１１（ａ）は電極間に電圧を印加していない状態、図１１（ｂ）は電圧を印加した状態を示す。但し、実際には、画素電極側と対向電極側とで液晶分子４８の配列方向は９０°だけツイストしているが、図１１では理解を容易にするために、液晶分子４８がツイストしていない状態で示している。
【０００８】
図１１（ａ）に示すように、液晶分子４８は、配向膜３２，３６のラビング方向に従って配向し、ある角度θで傾く。その角度θはプレチルト角といわれ、配向膜の構成材料により相違する。偏光板を直交配置したＴＮ型の液晶表示パネルでは、２つの配向膜３２，３６の間の液晶分子４８は、一方の透明基板３１から他方の透明基板３３に向かうにつれて螺旋状に配向方向を変えていく。そして、画素電極４２と対向電極３５との間の電圧を徐々に上げていくと、ある電圧（しきい値）を境に液晶分子４８が電界の方向に立ち上がり始め、十分な電圧を印加すると、図１１（ｂ）に示すように、液晶分子４８は基板３１，３３に対して殆ど垂直になる。つまり、液晶分子４８は、印加電圧に応じて、基板３１，３３に対し殆ど平行な状態から殆ど垂直な状態に変化し、液晶表示パネルを透過する光の透過率もこれに応じて変化する。従って、各画素毎に光の透過率を制御することが可能であり、液晶表示パネルに所望の画像を表示することができる。
【０００９】
このような液晶表示パネルのノーマリーブラックモードにおけるＴ−Ｖ（透過率−電圧）特性を図１２に示す。
この図１２において、ａはパネル正面から見たときのＴ−Ｖ特性であり、ｄは上又は下方向に視線を４０°傾けたときのＴ−Ｖ特性を示す。また、ｂは配向分割構造でない液晶表示パネルにおいて、上４０°方向から見下ろしたときのＴ−Ｖ特性、ｃは下４０°方向から見上げたときのＴ−Ｖ特性である。この図１２に示すように、配向分割構造の液晶表示パネルのｄのＴ−Ｖ特性は、ｂとｃとを平均化したような特性になる。すなわち、ｃに比べて高電圧側での透過率は低下しており、ｂに見られるようなこぶ状の特性も見られない。すなわち、配向分割構造の液晶表示パネルでは、視角を変化させた場合の光学特性の変化量が通常の液晶表示パネルに比べ小さいため、視角特性が著しく改善される。
【００１０】
また、特開平６−１１８４０６号公報には、配向分割構造の液晶表示パネルの上に光学異方性フィルムを重ねることが提案されている。図１３は、この種の液晶表示パネルの構成を模式的に示す図である。この図１３において、５０は電極及び配向膜等が形成された１対の基板と、その基板間に封入された液晶とにより構成される液晶パネル（図１０の３１〜３３に相当）である。このように、液晶パネル５０と一方の偏向板３９との間に遅相軸（屈折率が高い方向）が相互に直交するように配置した２枚の光学異方性フィルム４６，４７を配置することにより、ノーマリーブラックモードの液晶表示パネルにおいて、黒く表示されるべき部分が白っぽくなることを抑制し、コントラストを改善することができる。
【００１１】
図１４は、この液晶表示パネルのＴ−Ｖ特性を示す図である。この図１４において、ａは液晶表示パネルを正面から見たときのＴ−Ｖ特性、ｃは上又は下方向に視線を４０°傾けたときのＴ−Ｖ特性を示す。また、ｂは光学異方性フィルムを有しない液晶表示パネルにおいて、上又は下方向に視線を４０°傾けたときのＴ−Ｖ特性である。この図１４から、光学異方性フィルムを配設することにより、電圧が低いときの透過率を低くすることができることがわかる。すなわち、ノーマリーブラックモードの液晶表示パネルにおいて、黒い部分をより黒く表示することができる。
【００１２】
【発明が解決しようとする課題】
しかしながら、図１３に示す構造の液晶表示パネルにおいては、温度が高い環境で長期間使用すると、光学異方性フィルム同士又は光学異方性フィルムと偏向板との接合部に気泡が発生しやすく、耐久性が十分でないという欠点がある。このため、この液晶表示パネルは、航空機又は自動車等のように比較的高温の環境で使用される表示装置として、信頼性が十分でない。
【００１３】
また、この液晶表示パネルにおいては、楕円偏向板（光学異方性フィルムが接合された偏向板）のリタデーション（Δｎｄ値：屈折率異方性Δｎと厚さｄとの積）を抜き取り検査しようとしても、２枚の光学異方性フィルムが重ね合わされているので、Δｎｄ値を測定することができない。このため、品質管理が難しいという欠点もある。
【００１４】
本発明は、上記の従来例の問題点に鑑みて創作されたものであり、視覚特性が良好であるとともに、光学異方性フィルム及び偏向板の接合部に気泡が発生しにくくて信頼性が高く、また、楕円偏向板の軸角度及びΔｎｄ値を測定できる液晶表示パネルを提供することを目的とするものである。
【００１５】
【課題を解決するための手段】
上記した課題は、相互に対向して配設された第１及び第２の透明基板と、これらの第１及び第２の透明基板間に封入された液晶と、前記第１及び第２の透明基板の各対向面側に設けられて液晶分子の配列状態を画素毎に制御する第１及び第２の電極と、これらの第１及び第２の電極をそれぞれ被覆するとともに、１画素を２分する第１及び第２の領域において液晶分子の立ち上がる方向が相互に逆方向となる第１及び第２の配向膜と、前記第１の透明基板の前記対向面と反対側に配置された第１の光学異方性フィルムと、この第１の光学異方性フィルムに接合された第１の偏光板と、前記第２の透明基板の前記対向面と反対側に配置された第２の光学異方性フィルムと、この第２の光学異方性フィルムに接合された第２の偏光板とを有する液晶表示パネルであって、前記第１及び第２の光学異方性フィルムのリタデーション（Δｎｄ値）が７０乃至１４０ｎｍであり、かつ前記第１の配向膜のラビング方向と前記第１の光学異方性フィルムの遅相軸とのなす角度が０±１０°以内に設定され、前記第２の配向膜のラビング方向と前記第２の光学異方性フィルムの遅相軸とのなす角度が０±１０°以内に設定されていることを特徴とする液晶表示パネルにより解決する。
【００１６】
光学異方性フィルムは、ポリマーを一軸方向に引き伸ばして形成されており、特に高温下に放置されると光学異方性フィルム内部に元に戻る方向に応力が発生する。このため、図１３に示すように２枚の光学異方性フィルムを重ね合わせて接着すると、２枚の光学異方性フィルムに発生する応力が重畳されて、光学異方性フィルム同士、又は光学異方性フィルムと偏向板との接合部で剥離が発生して、気泡の原因になる。そこで、本発明においては、２枚の光学異方性フィルムを重ね合わせて接合するのではなく、一対の透明電極を挟むようにして配置する。これにより、高温下で長期間使用しても応力が重畳されることを回避できて、接合部の剥離及び気泡の発生を抑制することができる。従って、液晶表示パネルの信頼性が著しく向上する。また、楕円偏向板が１枚の偏向板と１枚の光学異方性フィルムとにより構成されるので、楕円偏向板の軸角度及びΔｎｄ値の測定が可能であり、抜き取り検査による品質管理が容易になる。
【００１７】
この場合に、光学異方性フィルムの遅相軸を基板に設けられた配向膜のラビング方向に対し、０±１０°以内とすることが好ましい。配向膜のラビング方向と光学異方性フィルムの遅相軸とのなす角度がこの範囲を外れると、視角特性が著しく低下する。
また、光学異方性フィルムのΔｎｄ値は、５０〜２５０ｎｍであることが好ましい。すなわち、Δｎｄ値が５０ｎｍ未満の光学異方性フィルムは製造が極めて困難であり、光学異方性フィルムのΔｎｄ値が２５０ｎｍを超えると、視角特性が著しく低下する。
【００１８】
【発明の実施の形態】
以下、本発明の実施の形態について、添付の図面を参照して説明する。
図１は本発明の実施形態に係る液晶表示パネルを示す平面図、図２は図１のＸ−Ｘ線による断面図である。
透明基板（ガラス基板）１上には画素電極（第１の電極）２がマトリクス状に配設されており、これらの画素電極２の間の透明基板１上にはゲートバスライン１３及びデータバスライン１４が直角に交差するように形成されている。これらのゲートバスライン１３及びデータバスライン１４の交差部分の近傍にはそれぞれＴＦＴ１５が形成されている。このＴＦＴ１５のゲートはゲートバスライン１３に接続され、ドレインはデータバスライン１４に接続され、ソースは画素電極２に接続されている。また、ガラス基板１上には、これらの画素電極１２、ＴＦＴ１５、ゲートバスライン１３及びデータバスライン１４を被覆するようにして配向膜２が形成されている。これらのゲートバスライン１３及びドレインバスライン１４に囲まれた領域が各画素領域になっている。
【００１９】
透明基板１の上方には透明基板（ガラス基板）３が配置されている。この透明基板３の下側には画素毎に赤（Ｒ）、緑（Ｇ）、青（Ｂ）のいずれか１つの色を有するカラーフィルタ４が設けられており、このカラーフィルタ４の下には対向電極（第２の電極）５が設けられている。そして、この対向電極５の下には第２の配向膜６が設けられている。
【００２０】
各画素領域は、図１に示すように２つの領域Ｉ，IIに２分されており、領域Ｉの液晶分子の立ち上がる方向（矢印Ａで示す）は、領域IIの液晶分子の立ち上がる方向（矢印Ｂで示す）に対し逆方向となっている。このように領域Ｉ，IIで液晶分子の立ち上がる方向を逆にするためには、例えば、配向膜２，６にラビング処理を施す際に、領域Ｉにおけるラビング方向と領域IIにおけるラビング方向とを相互に逆向きとすることにより実現できる。そして、配向膜２，６は、液晶分子の立ち上がる方向（ラビング方向）が相互に直交するように配置されている。また、透明基板１，３間には液晶７が封入されている。
【００２１】
透明基板１の下側には、第１の光学異方性フィルム８が配設されており、この第１の光学異方性フィルム８の下には第１の偏向板９が接合されている。これと同様に、透明基板３上には第２の光学異方性フィルム１０が配設されており、この第２の光学異方性フィルム１０上には第２の偏向板１１が接合されている。
光学異方性フィルム８，１０は、例えばポリカーボネート等のポリマーを一軸方向に引き伸ばして形成されたものであり、リタデーションΔｎｄ値が５０〜２５０ｎｍ、厚さが例えば６０〜８０μｍのものが使用される。
【００２２】
図３は、本実施形態の液晶表示パネルの構成を示す模式図である。この図において、液晶パネル２０中の鎖線矢印は下側配向膜２のラビング方向、実線矢印は上側配向膜６のラビング方向を示す。また、光学異方性フィルム８，１０中の実線は遅相軸の方向、偏向板９，１１中の実線は吸収軸の方向を示す。
本実施の形態では、図３に示すように、第１の光学異方性フィルム８の遅相軸の方向と第１の配向膜２のラビング方向とがほぼ平行（０±１０°）に配置され、偏向板９の吸収軸と第２の配向膜６のラビング方向とがほぼ垂直に配置される。これと同様に、第２の光学異方性フィルム１０の遅相軸の方向と第２の配向膜６のラビング方向とはほぼ平行に（０±１０°）に配置され、偏向板９，１１の各吸収軸が相互に平行になるように配置される。
【００２３】
このように構成された本実施形態の液晶表示パネルにおいて、電極５，１２間に電圧を印加しない状態では光を遮断し、電極５，１２間に電圧を印加すると、電極間に存在する液晶分子が配向膜のラビング方向に沿って立ち上がり、光を透過する。この場合に、本実施形態においては、１画素毎に２つの領域Ｉ，IIを有し、各領域Ｉ，IIにおける液晶分子の配向方向が異なる配向分割構造であるので、視角特性が優れている。また、本実施形態においては、光学異方性フィルムにより色調補正するので、黒い部分をより一層黒く表示できて、良好なコントラストが得られる。
【００２４】
また、本実施形態においては、１枚の偏向板に対し１枚の光学異方性フィルムのみが接合されているので、温度が高い環境において長時間使用しても、光学異方性フィルムの収縮力に起因する気泡の発生を抑制することができる。従って、本実施形態の液晶表示パネルは、従来に比して信頼性が向上する。
更に、本実施形態の液晶表示パネルは、１枚の偏向板に１枚の光学異方性フィルムを接合して楕円偏向板を構成しているので、楕円偏向板（偏向板と光学異方性フィルムとの接合体）の軸角度及びΔｎｄ値を測定することが可能であり、抜き取り検査による品質管理が容易である。
【００２５】
以下、本発明に係る液晶表示パネルを実際に製造し、その視認性を調べた結果を比較例と比較して説明する。
（第１の実施例）
実施例として、図１〜図３に示す構造のＴＦＴ液晶表示パネルを製造した。この液晶表示パネルの大きさは１０．４インチ（対角線の長さ）、画素数は６４０×４８０ドット、各画素の大きさは１００×２９０μｍである。また、光学異方性フィルムのΔｎｄ値は１６０ｎｍである。
【００２６】
比較例１として、図４に示す構成の液晶表示パネルを製造した。この比較例１の液晶表示パネルは、光学異方性フィルムを有しないこと以外は実施例と同様の構成である。
比較例２として、図５に示す構成の液晶表示パネルを製造した。この比較例２の液晶表示パネルは、２枚の光学異方性フィルム８，１０が貼り合わされて液晶パネル２０の一方の側にのみ設けられていること、及び光学異方性フィルムのΔｎｄ値が３００ｎｍであること以外は実施例と同様の構成である。
【００２７】
これらの実施例及び比較例１，２の液晶表示パネルについて、視線方向を変化させて各視線方向におけるコントラストを調べた。図６は実施例の液晶表示パネルの等コントラスト曲線（Viewing Cone）を示す図、図７は比較例１の液晶表示パネルの等コントラスト曲線を示す図、図８は比較例２の液晶表示パネルの等コントラスト曲線を示す図である。但し、これらの図６〜図８において、図中央の点は液晶表示パネルの正面を示し、同心円状の目盛線はパネルの法線に対する角度を示している。また、これらの図６〜図８では液晶表示パネルの右方向を0.0deg、上方向を90.0deg 、左方向を180.0deg、下方向を270.0degというように方位角で示している。更に、図中太線はコントラストレシオが30.0の等コントラスト曲線、細線はコントラストレシオが20.0の等コントラスト曲線、破線はコントラストレシオが10.0の等コントラスト曲線、一点鎖線はコントラストレシオが5.0 の等コントラスト曲線を示す。
【００２８】
これらの図６〜図８から明らかなように、比較例１の液晶表示パネル（図７）は、左右方向の視角特性は比較的良好であるものの、上下方向の視角特性は極めて悪いものであった。また、比較例２の液晶表示パネル（図８）は、比較例１に比べ視角特性は改善されているものの、満足できるものではなかった。一方、実施例の液晶表示パネル（図６）は、比較例１，２に比べて、左右方向だけでなく、上下方向の視角特性も極めて良好であった。
【００２９】
次に、実施例及び比較例２の液晶表示パネルについて、高温における耐久性を調べた。その結果、比較例２の液晶表示パネルにおいては、１００℃の温度下に２４時間放置した場合に、偏向板と光学異方性フィルムとの接合部に気泡が認められた。一方、実施例の液晶表示パネルにおいては、１００℃の温度下に１０００時間放置しても、光学異方性フィルム又は偏向板の接合部分に気泡は認められなかった。
【００３０】
（第２の実施例）
次に、光学異方性フィルムのリタデーションとコントラストとの関係を調べた。すなわち、Δｎｄ値が９０〜５７０ｎｍの光学異方性フィルムを使用し、これらの光学異方性フィルムの遅相軸と配向膜のラビング方向とが平行（図３参照）又は垂直になるように配置した液晶表示パネルを作製した。そして、液晶表示パネルに電圧を印加していない状態で、これらの液晶表示パネルの正面、又は上、下、左若しくは右方向に視角をそれぞれ４０°傾けたときの光電子増倍管の出力値を調べることにより、コントラストを評価した。
【００３１】
また、同様に、Δｎｄ値が７０〜１４０ｎｍの光学異方性フィルムを使用して図３に示す構造の液晶表示パネルを製造し、これらの液晶表示パネルについても、液晶表示パネルの正面、又は上、下、左若しくは右方向に視角をそれぞれ４０°傾けたときのコントラストを調べた。
これらの結果を、下記表１，２に示す。但し、表１，２において、比較例は、第１の実施例において比較例２として使用した液晶表示パネルである。また、液晶表示パネルに電圧を印加した状態での光電子増倍管の出力値は、同一の角度の場合、いずれもほぼ同じであった。
【００３２】
【表１】
0004058768.tif 000002
【００３３】
【表２】
0004058768.tif 000003
【００３４】
この表１，２に示すように、光学異方性フィルムの遅相軸と配向膜のラビング方向とが平行であり、且つ、光学異方性フィルムのΔｎｄ値が２００ｎｍ以下の場合は、光電子増倍管の出力値が小さく、黒い部分をより黒く表示することができた。特に、表２に示すように、光学異方性フィルムのΔｎｄ値が７０〜１４０ｎｍのときは、コントラストが極めて良好であることが判る。
【００３５】
【発明の効果】
以上説明したように、本発明によれば、一対の光学異方性フィルムを一対の透明基板を挟むように分離して配置したので、高温下で長時間使用しても光学異方性フィルム同士及び光学異方性フィルムと偏向板との接合部で剥離が発生しにくく、接合部に発泡が発生することを抑制できて、耐久性が優れている。また、楕円偏向板の軸角度及びΔｎｄ値の測定が可能であり、抜き取り検査による品質管理が容易であるという利点もある。
【００３６】
更に、各光学異方性フィルムを、それぞれ遅相軸が第１及び第２の透明基板に設けられた配向膜のラビング方向に対し０±１０°以内の角度となるように配置し、リタデーションΔｎｄを５０〜２５０ｎｍとすることにより、視角特性をより一層向上させることができる。
【図面の簡単な説明】
【図１】本発明の実施形態に係る液晶表示パネルを示す平面図である。
【図２】図１のＸ−Ｘ線による断面図である。
【図３】本実施形態の液晶表示パネルの構成を示す模式図である。
【図４】比較例１の液晶表示パネルの構成を示す模式図である。
【図５】比較例２の液晶表示パネルの構成を示す模式図である。
【図６】実施例の液晶表示パネルの等コントラスト曲線を示す図である。
【図７】比較例１の液晶表示パネルの等コントラスト曲線を示す図である。
【図８】比較例２の液晶表示パネルの等コントラスト曲線を示す図である。
【図９】従来の液晶表示パネルを示す平面図である。
【図１０】図９のＹ−Ｙ線による断面図である。
【図１１】透明基板間の液晶の分子を模式的に示す図であり、（ａ）は電極間に電圧を印加していない状態、（ｂ）は電極間に電圧を印加した状態を示す。
【図１２】従来の液晶表示パネルのノーマリブラックモードにおけるＴ−Ｖ（透過率−電圧）特性を示す図である。
【図１３】光学異方性フィルムが設けられた従来の液晶表示パネルの構成を模式的に示す図である。
【図１４】光学異方性フィルムが設けられた従来の液晶表示パネルのＴ−Ｖ特性を示す図である。
【符号の説明】
１，３，３１，３３  透明基板
２，６，３２，３６  配向膜
５，３５  対向電極
７，３７  液晶
８，１０  光学異方性フィルム
９，１１，３９，４１  偏向板
１２，４２  画素電極
４８  液晶分子
【図１】
0004058768.tif 000004
【図２】
0004058768.tif 000005
【図３】
0004058768.tif 000006
【図４】
0004058768.tif 000007
【図５】
0004058768.tif 000008
【図６】
0004058768.tif 000009
【図７】
0004058768.tif 000010
【図８】
0004058768.tif 000011
【図９】
0004058768.tif 000012
【図１０】
0004058768.tif 000013
【図１１】
0004058768.tif 000014
【図１２】
0004058768.tif 000015
【図１３】
0004058768.tif 000016
【図１４】
0004058768.tif 000017